(57)【要約】【課題】カプセル型内視鏡によって時系列で撮像されて取得された画像の動画としての上映において動画の進行方向を供覧者に判りやすくする。【解決手段】カプセル型内視鏡によって時系列で撮像されて取得された画像データに基づく画像を表示部４２上に動画として上映する上で、動画の上映方法を規定するパラメータの設定を変更自在とするが、このパラメータ設定による上映方法の設定状態を表示部４２上に動画と同時に表示させることで、供覧者は動画と同時に表示されている上映方法の設定状態を見ることによりその設定状態を容易に確認できるようにした。例えば、時計方向に回る図柄の矢印６１を動画と同時に表示することで、矢印６１を見ることによって、供覧者は動画が前進方向に移動することを容易に確認できる。後退方向の場合には、逆向きの矢印表示となる。【選択図】        図３−１
2006296882.tif 000002
【特許請求の範囲】
【請求項１】
被検体内導入装置によって時系列で撮像された画像データを取得する取得手段と、
前記被検体内導入装置によって時系列で撮像されて取得された前記画像データに基づく画像を表示部上に動画として上映する動画上映手段と、
前記動画の上映方法を規定するパラメータを変更自在に設定する設定手段と、
前記パラメータ設定による前記上映方法の設定状態を前記表示部上に前記動画と同時に表示する設定状態表示手段と、
を備えたことを特徴とする画像表示装置。
【請求項２】
前記動画上映手段は、前記動画の上映方法として時系列的に前進方向の上映と時系列的に後退方向の上映とが自在であり、
前記パラメータは、前記動画の時系列的な上映方向を規定するパラメータであることを特徴とする請求項１に記載の画像表示装置。
【請求項３】
前記設定状態表示手段は、前記動画として表示中の画像の近傍に配置させた所定の記号表示により前記上映方向を表示することを特徴とする請求項２に記載の画像表示装置。
【請求項４】
前記設定状態表示手段は、前記動画の時系列的な上映方向が前進方向の場合に該前進方向を示す第１の記号と、前記動画の時系列的な上映方向が後退方向の場合に該後退方向を示す第２の記号とを前記所定の記号として用いることを特徴とする請求項３に記載の画像表示装置。
【請求項５】
前記動画上映手段は、２行２列からなる４コマの画像を用い、前記動画の上映方向が前進方向の場合には第１の回転方向に、前記動画の上映方向が後退方向の場合には第２の回転方向に画像を更新することで動画を時系列的に上映し、
前記設定状態表示手段は、前記第１の記号として前記第１の回転方向に回る図柄の矢印、前記第２の記号として前記第２の回転方向に回る図柄の矢印を用いることを特徴とする請求項４に記載の画像表示装置。
【請求項６】
前記設定状態表示手段は、前記第１の記号として表示部の画面表面側から画面奥側に向かう図柄の矢印、前記第２の記号として表示部の画面奥側から画面表面側に向かう図柄の矢印を用いることを特徴とする請求項４に記載の画像表示装置。
【請求項７】
前記設定状態表示手段は、前記動画の上映方向を前進方向に規定するパラメータ設定操作用のアイコンを強調表示することにより前記第１の記号とし、前記動画の上映方向を後退方向に規定するパラメータ設定操作用のアイコンを強調表示することにより前記第２の記号とすることを特徴とする請求項４に記載の画像表示装置。
【請求項８】
前記設定状態表示手段は、前記動画として表示中の画像の近傍に配置されこれらの画像の時系列的な順序を示す数字を前記所定の記号として用いることを特徴とする請求項３に記載の画像表示装置。
【請求項９】
前記設定状態表示手段は、時系列的な順序を示す数字として各画像が撮像された時刻を示す数字のうちの一部又は全部を用いることを特徴とする請求項８に記載の画像表示装置。
【請求項１０】
前記設定状態表示手段は、各画像が撮像された時刻を示す数字を対応する画像の配置と相似に配置させて表示することを特徴とする請求項２に記載の画像表示装置。
【請求項１１】
動画として時系列的に順次表示される画像の時系列上の位置をバーチャート上で移動するカーソルによって示すバーチャート手段を備え、
前記設定状態表示手段は、所定操作に基づき前記カーソルを含む前記バーチャートの一部を拡大表示し該カーソルの移動方向を可視化することを特徴とする請求項２に記載の画像表示装置。
【請求項１２】
前記動画上映手段は、同一画面上に複数の画像を同時に表示させて動画を時系列的に上映し、
前記設定状態表示手段は、同時に表示される複数の画像を重畳状態が動画の時系列的な上映方向を示すように部分的に重畳配置させて表示することを特徴とする請求項２に記載の画像表示装置。
【請求項１３】
前記設定状態表示手段は、時系列的に新しい画像が表示画面の前面側に位置するように複数の画像を部分的に重畳配置させて表示することを特徴とする請求項１２に記載の画像表示装置。
【請求項１４】
被検体内導入装置によって時系列で撮像された画像データを取得する取得手段と、
前記被検体内導入装置によって時系列で撮像されて取得された前記画像データに基づくフレーム単位の画像を表示部上に動画として上映する動画上映手段と、
前記動画の上映状態で該動画のフレーム表示レートを変更自在に設定する設定手段と、
を備えたことを特徴とする画像表示装置。
【請求項１５】
前記設定手段は、フットスイッチの強弱操作に応じて前記フレーム表示レートを設定することを特徴とする請求項１４に記載の画像表示装置。
【請求項１６】
前記設定手段は、前記動画の再生を指示する再生ボタンの繰り返し操作回数に応じて前記フレーム表示レートを設定することを特徴とする請求項１４に記載の画像表示装置。
【請求項１７】
前記設定手段は、前記表示部上に表示された表示レート設定用のスライドバー上を移動自在なカーソルの移動操作に応じて前記フレーム表示レートを設定することを特徴とする請求項１４に記載の画像表示装置。
【請求項１８】
前記設定手段は、特定キー操作と同時のホイール付きマウスのホイール操作に応じて前記フレーム表示レートを設定することを特徴とする請求項１４に記載の画像表示装置。
【請求項１９】
前記設定手段は、キーボード上の矢印キー操作に応じて前記フレーム表示レートを設定することを特徴とする請求項１４に記載の画像表示装置。
【請求項２０】
被検体内導入装置によって時系列で撮像された画像データを取得する取得手段と、
前記被検体内導入装置によって時系列で撮像されて取得された前記画像データに基づく画像を表示部上に動画として上映する動画上映手段と、
汎用端末の一部の操作部材に割り当てられ、前記動画の上映方法を操作する操作手段と、
を備えたことを特徴とする画像表示装置。
【請求項２１】
被検体内導入装置によって時系列で撮像された画像データを取得する取得手段と、
前記被検体内導入装置によって時系列で撮像されて取得された前記画像データに基づく画像を表示部上に動画として上映する動画上映手段と、
フットスイッチに割り当てられ、前記動画の上映方法を操作する操作手段と、
を備えたことを特徴とする画像表示装置。
【請求項２２】
前記操作手段は、前記フットスイッチの操作により前記動画の上映を一時停止させることを特徴とする請求項２１に記載の画像表示装置。
【発明の詳細な説明】
【技術分野】
【０００１】
本発明は、カプセル型内視鏡等の被検体内導入装置によって時系列で撮像されて取得された被検体内の画像を観察するための画像表示装置に関するものである。
【背景技術】
【０００２】
近年、内視鏡の分野においては、飲込み型のカプセル型内視鏡が開発されている。このカプセル型内視鏡は、撮像機能と無線機能とを備え、体腔内の観察のために患者の口から飲み込まれた後、人体から自然排出されるまでの間、体腔内、例えば食道、胃、小腸などの臓器の内部をその蠕動運動に従って移動し、移動に伴い、例えば０．５秒間隔で被検体内画像の撮像を行う機能を有する（例えば、特許文献１参照）。
【０００３】
体腔内を移動する間、カプセル型内視鏡によって体内で撮像された画像データは、順次無線通信により体外に送信され、体外の受信機内に設けられたメモリに蓄積される。カプセル型内視鏡が排出された後、医師もしくは看護師においては、メモリに蓄積された画像データをもとにワークステーションなどのディスプレイ画面上に表示させた画像に基づいて診断を行うことができる（例えば、特許文献２〜４参照）。
【０００４】
ここで、ディスプレイ画面上での診断に際しては、膨大な枚数の画像を扱うため、多数枚の画像を時系列的に連続する動画として上映するようにしている。この場合、特許文献２によれば、動画の上映方法として、操作者によるスクローリングホイール等のポインティングデバイス操作によって、時系列的に前進方向となる上映と、逆に、時系列的に後退方向となる上映とが設定自在とされている。これにより、体腔内を口腔側から肛門側に向かう順に動画を観察することもでき、逆に、再度注視したい部分などを肛門側から口腔側に戻る形で動画を観察することもできる。
【０００５】
【特許文献１】特開２００３−１９１１１号公報
【特許文献２】国際公開第０２／４５５６７号パンフレット
【特許文献３】米国特許出願公開第２００２／０１７１６６９号明細書
【特許文献４】特開２００４−３２１６０３号公報
【発明の開示】
【発明が解決しようとする課題】
【０００６】
ところで、この種の動画の観察は、医師もしくは看護師が一人で行う場合もあるが、複数の医師や看護師が同時に観察する場合も多い。この場合、一人が操作者となって動画上映に関してポインティングデバイス等の操作を行い、他の者は、供覧者となって操作者とともにディスプレイ画面上の動画を観察することとなる。
【０００７】
ところが、操作者は、動画上映に関して自分が操作しているので、動画の時系列的な上映方向が前進方向であるか後退方向であるかは当然理解できるが、ディスプレイ画面を見ているだけの供覧者は、上映中の動画の上映方向が前進方向であるのか後退方向であるのかを理解できない場合もあり、不便であった。
【０００８】
また、一般に、この種のディスプレイ画面では、動画として時系列的に順次表示される画像の時系列上の位置をバーチャート上で移動するカーソルによって示すようにしている。例えば、左右方向のバーチャートの場合、カーソルが右方向に移動すれば動画が前進方向に移動しており、逆に、カーソルが左方向に移動すれば動画が後退方向に移動していることとなる。ところが、バーチャート上のカーソルの動きも、例えば１０時間分といった膨大な枚数の画像を扱う中では、移動量が僅かずつであり、カーソルを見ただけでは左右（或いは、上下）のいずれの方向、すなわち、前進方向か後退方向かは判りにくい。
【０００９】
本発明は、上記に鑑みてなされたものであって、カプセル型内視鏡等の被検体内導入装置によって時系列で撮像されて取得された画像の動画としての上映において動画の進行方向を供覧者に判りやすくすることができる画像表示装置を提供することを目的とする。
【課題を解決するための手段】
【００１０】
上述した課題を解決し、目的を達成するために、請求項１に係る画像表示装置は、被検体内導入装置によって時系列で撮像された画像データを取得する取得手段と、前記被検体内導入装置によって時系列で撮像されて取得された前記画像データに基づく画像を表示部上に動画として上映する動画上映手段と、前記動画の上映方法を規定するパラメータを変更自在に設定する設定手段と、前記パラメータ設定による前記上映方法の設定状態を前記表示部上に前記動画と同時に表示する設定状態表示手段と、を備えたことを特徴とする。
【００１１】
請求項２に係る画像表示装置は、上記発明において、前記動画上映手段は、前記動画の上映方法として時系列的に前進方向の上映と時系列的に後退方向の上映とが自在であり、前記パラメータは、前記動画の時系列的な上映方向を規定するパラメータであることを特徴とする。
【００１２】
請求項３に係る画像表示装置は、上記発明において、前記設定状態表示手段は、前記動画として表示中の画像の近傍に配置させた所定の記号表示により前記上映方向を表示することを特徴とする。
【００１３】
請求項４に係る画像表示装置は、上記発明において、前記設定状態表示手段は、前記動画の時系列的な上映方向が前進方向の場合に該前進方向を示す第１の記号と、前記動画の時系列的な上映方向が後退方向の場合に該後退方向を示す第２の記号とを前記所定の記号として用いることを特徴とする。
【００１４】
請求項５に係る画像表示装置は、上記発明において、前記動画上映手段は、２行２列からなる４コマの画像を用い、前記動画の上映方向が前進方向の場合には第１の回転方向に、前記動画の上映方向が後退方向の場合には第２の回転方向に画像を更新することで動画を時系列的に上映し、前記設定状態表示手段は、前記第１の記号として前記第１の回転方向に回る図柄の矢印、前記第２の記号として前記第２の回転方向に回る図柄の矢印を用いることを特徴とする。
【００１５】
請求項６に係る画像表示装置は、上記発明において、前記設定状態表示手段は、前記第１の記号として表示部の画面表面側から画面奥側に向かう図柄の矢印、前記第２の記号として表示部の画面奥側から画面表面側に向かう図柄の矢印を用いることを特徴とする。
【００１６】
請求項７に係る画像表示装置は、上記発明において、前記設定状態表示手段は、前記動画の上映方向を前進方向に規定するパラメータ設定操作用のアイコンを強調表示することにより前記第１の記号とし、前記動画の上映方向を後退方向に規定するパラメータ設定操作用のアイコンを強調表示することにより前記第２の記号とすることを特徴とする。
【００１７】
請求項８に係る画像表示装置は、上記発明において、前記設定状態表示手段は、前記動画として表示中の画像の近傍に配置されこれらの画像の時系列的な順序を示す数字を前記所定の記号として用いることを特徴とする。
【００１８】
請求項９に係る画像表示装置は、上記発明において、前記設定状態表示手段は、時系列的な順序を示す数字として各画像が撮像された時刻を示す数字のうちの一部又は全部を用いることを特徴とする。
【００１９】
請求項１０に係る画像表示装置は、上記発明において、前記設定状態表示手段は、各画像が撮像された時刻を示す数字を対応する画像の配置と相似に配置させて表示することを特徴とする。
【００２０】
請求項１１に係る画像表示装置は、上記発明において、動画として時系列的に順次表示される画像の時系列上の位置をバーチャート上で移動するカーソルによって示すバーチャート手段を備え、前記設定状態表示手段は、所定操作に基づき前記カーソルを含む前記バーチャートの一部を拡大表示し該カーソルの移動方向を可視化することを特徴とする。
【００２１】
請求項１２に係る画像表示装置は、上記発明において、前記動画上映手段は、同一画面上に複数の画像を同時に表示させて動画を時系列的に上映し、前記設定状態表示手段は、同時に表示される複数の画像を重畳状態が動画の時系列的な上映方向を示すように部分的に重畳配置させて表示することを特徴とする。
【００２２】
請求項１３に係る画像表示装置は、上記発明において、前記設定状態表示手段は、時系列的に新しい画像が表示画面の前面側に位置するように複数の画像を部分的に重畳配置させて表示することを特徴とする。
【００２３】
請求項１４に係る画像表示装置は、被検体内導入装置によって時系列で撮像された画像データを取得する取得手段と、前記被検体内導入装置によって時系列で撮像されて取得された前記画像データに基づくフレーム単位の画像を表示部上に動画として上映する動画上映手段と、前記動画の上映状態で該動画のフレーム表示レートを変更自在に設定する設定手段と、を備えたことを特徴とする。
【００２４】
請求項１５に係る画像表示装置は、上記発明において、前記設定手段は、フットスイッチの強弱操作に応じて前記フレーム表示レートを設定することを特徴とする。
【００２５】
請求項１６に係る画像表示装置は、上記発明において、前記設定手段は、前記動画の再生を指示する再生ボタンの繰り返し操作回数に応じて前記フレーム表示レートを設定することを特徴とする。
【００２６】
請求項１７に係る画像表示装置は、上記発明において、前記設定手段は、前記表示部上に表示された表示レート設定用のスライドバー上を移動自在なカーソルの移動操作に応じて前記フレーム表示レートを設定することを特徴とする。
【００２７】
請求項１８に係る画像表示装置は、上記発明において、前記設定手段は、特定キー操作と同時のホイール付きマウスのホイール操作に応じて前記フレーム表示レートを設定することを特徴とする。
【００２８】
請求項１９に係る画像表示装置は、上記発明において、前記設定手段は、キーボード上の矢印キー操作に応じて前記フレーム表示レートを設定することを特徴とする。
【００２９】
請求項２０に係る画像表示装置は、被検体内導入装置によって時系列で撮像された画像データを取得する取得手段と、前記被検体内導入装置によって時系列で撮像されて取得された前記画像データに基づく画像を表示部上に動画として上映する動画上映手段と、汎用端末の一部の操作部材に割り当てられ、前記動画の上映方法を操作する操作手段と、を備えたことを特徴とする。
【００３０】
請求項２１に係る画像表示装置は、被検体内導入装置によって時系列で撮像された画像データを取得する取得手段と、前記被検体内導入装置によって時系列で撮像されて取得された前記画像データに基づく画像を表示部上に動画として上映する動画上映手段と、フットスイッチに割り当てられ、前記動画の上映方法を操作する操作手段と、を備えたことを特徴とする。
【００３１】
請求項２２に係る画像表示装置は、上記発明において、前記操作手段は、前記フットスイッチの操作により前記動画の上映を一時停止させることを特徴とする。
【発明の効果】
【００３２】
本発明に係る画像表示装置によれば、被検体内導入装置によって時系列で撮像されて取得された画像データに基づく画像を表示部上に動画として上映する上で、動画の上映方法を規定するパラメータの設定を変更自在とするが、このパラメータ設定による上映方法の設定状態を表示部上に動画と同時に表示させるようにしたので、供覧者は動画と同時に表示されている上映方法の設定状態を見ることによりその設定状態を容易に確認することができ、例えば、パラメータを動画の時系列的な上映方向を規定するパラメータとする場合、上映方向の設定状態を見ることによって、供覧者は動画が前進しているのか後退しているのかを容易に確認することができるという効果を奏する。
【発明を実施するための最良の形態】
【００３３】
以下、添付図面を参照して、本発明に係る画像表示装置の好適な実施の形態である無線型の被検体内情報取得システムについて説明する。なお、本実施の形態により本発明が限定されるものではない。また、図面の記載において、同一部分又は相当する部分には同一の符号を付している。
【００３４】
（実施の形態１）
本発明の実施の形態１について説明する。図１は、無線型の被検体内情報取得システムの全体構成を示す模式図である。この被検体内情報取得システムは、被検体内導入装置の一例としてカプセル型内視鏡を用いている。図１に示すように、無線型の被検体内情報取得システムは、被検体１の体内に導入され、体腔内画像を撮像して受信装置２に対して映像信号などのデータ送信を無線によって行うカプセル型内視鏡３と、カプセル型内視鏡３から無線送信された体腔内画像データを受信する受信装置２と、受信装置２が受信した映像信号に基づいて体腔内画像を表示する画像表示装置４と、受信装置２と画像表示装置４との間のデータ受け渡しを行うための携帯型記録媒体５とを備える。
【００３５】
また、受信装置２は、被検体１の体外表面に貼付される複数の受信用アンテナＡ１〜Ａｎを有した無線ユニット２ａと、複数の受信用アンテナＡ１〜Ａｎを介して受信された無線信号の処理等を行う受信本体ユニット２ｂとを備え、これらユニットはコネクタ等を介して着脱可能に接続される。なお、受信用アンテナＡ１〜Ａｎのそれぞれは、例えば、被検体１が着用可能なジャケットに備え付けられ、被検体１は、このジャケットを着用することによって受信用アンテナＡ１〜Ａｎを装着するようにしてもよい。また、この場合、受信用アンテナＡ１〜Ａｎは、ジャケットに対して着脱可能なものであってもよい。
【００３６】
画像表示装置４は、カプセル型内視鏡３によって撮像された体腔内画像を表示するためのものであり、携帯型記録媒体５によって得られるデータをもとに画像表示を行うワークステーション等の汎用端末の構成を有する。具体的には、画像表示装置４は、ＣＲＴディスプレイ、液晶ディスプレイ等によって直接画像を表示する構成としてもよいし、プリンタ等のように、他の媒体に画像を出力する構成としてもよい。
【００３７】
携帯型記録媒体５は、コンパクトフラッシュ（登録商標）メモリ等が用いられ、受信本体ユニット２ｂ及び画像表示装置４に対して着脱可能であって、両者に対する挿着時に情報の出力又は記録が可能な機能を有する。具体的には、携帯型記録媒体５は、カプセル型内視鏡３が被検体１の体腔内を移動している間は受信本体ユニット２ｂに挿着され、カプセル型内視鏡３から送信されるデータが携帯型記録媒体５に記録される。そして、カプセル型内視鏡３が被検体１から排出された後、つまり、被検体１の内部の撮像が終わった後には、受信本体ユニット２ｂから取り出されて画像表示装置４に挿着され、画像表示装置４によって記録されたデータが読み出される。
【００３８】
受信本体ユニット２ｂと画像表示装置４との間のデータの受け渡しを携帯型記録媒体５によって行うことで、被検体１が体腔内の撮像中に自由に行動することが可能となり、また、画像表示装置４との間のデータの受け渡し期間の短縮にも寄与している。なお、受信本体ユニット２ｂと画像表示装置４との間のデータの受け渡しは、受信本体ユニット２ｂに内蔵型の他の記録装置を用い、画像表示装置４と有線又は無線接続するように構成してもよい。
【００３９】
次に、図２を参照して画像表示装置４について説明する。図２は、図１に示す画像表示装置４の概略構成を示すブロック図である。図２に示すように、画像表示装置４は、入力部４１、表示部４２、記憶部４３、及び制御部４４を備える。
【００４０】
入力部４１は、図１中に示すように、キーボード１１等の汎用端末における操作部材の他、ホイール１２付きのマウス１３やジョイスティックなどのポインティングデバイス、或いは、フットスイッチ１４、さらには表示部４２上に表示されたアイコンなどによって実現され、画像表示装置４の動作指示及び画像表示装置４が行う処理の指示情報を入力し、各指示情報を制御部４４に送出する。表示部４２は、ＣＲＴディスプレイ、液晶ディスプレイ等によって実現され、入力部４１の指示情報或いは指示結果などを表示する。表示部４２は、記憶部４３のフォルダＦ１に格納された画像群Ｐａ中の画像が表示される所定の画像表示領域等を有する。
【００４１】
記憶部４３は、例えばハードディスク装置などによって実現され、携帯型記録装置５から取得した各種画像などを保持し、本実施の形態１では、カプセル型内視鏡３によって時系列で撮像された画像データを取得する取得手段として機能する。例えば、本実施の形態１の場合、フォルダＦ１内には、カプセル型内視鏡３中の撮像素子（図示せず）によって撮像された複数枚のフレーム画像からなる画像群Ｐａが格納される。フォルダＦ１に格納された画像群Ｐａには、画像毎に、受信装置２における画像データの受信順に従ってフレーム番号が付与されている。また、記憶部４３は表示記号フォーマット部を有し、画像表示に際して必要なアイコン表示用のフォーマット類の他に、動画の上映中に上映方向を示す表示記号として、例えば、後述するような時計方向に回る図柄の矢印や反時計方向に回る図柄の矢印のような記号が登録されている。
【００４２】
制御部４４は、入力部４１、表示部４２、及び記憶部４３の各処理又は動作を制御する。制御部４４は、動画上映部４５、表示制御部４６、及び画像選択部４７を備える。画像上映部４５は、カプセル型内視鏡３によって時系列で撮像されて取得され記憶部４３中のフォルダＦ１中に格納されている画像データに基づく多数枚のフレーム画像を、上映方法を規定するパラメータ設定に従い表示部４２の画面上に動画として上映する処理を行う。表示制御部４６は、表示部４２における各種表示処理を制御する機能を有し、本実施の形態１の場合、特に、動画の上映方法を規定するためのパラメータ設定による上映方法の設定状態を表示部４２上に動画と同時に表示する設定状態表示手段の機能を実現する。画像選択部４７は、動画上映の指示情報が入力された場合、その上映方向が前進方向であるか後退方向であるかに応じて、フォルダＦ１に格納された画像群Ｐａ中からフレーム表示レートに従いフレーム番号順又は逆順に画像を１枚ずつ画像上映部４５に対して選択出力し、動画表示に供する。
【００４３】
次に、図３−１を参照して、表示部４２の表示画面について説明する。図３−１は、表示部４２の表示画面の一例を示す正面図であり、表示部４２の表示画面は、カプセル型内視鏡３により撮像された検査画像を表示する主観察モニタ５１部分を有する。本実施の形態１では、この主観察モニタ５１部分を利用して撮像画像が動画として上映される。
【００４４】
図３−１において、５２は、検査日一覧を表示するファイリングリスト欄であり、検査日毎に患者名が一覧表示される。検査日下の患者名を選択すると主観察モニタ５１部分に該患者の検査の先頭画像が表示される。５３は、主観察モニタ５１部分の再生方法、本実施の形態１の場合、動画の上映方法を変更設定するための設定手段となるパラメータ設定操作用のアイコン表示の再生コントローラ部分であり、左側から順に、先頭出しボタン５３ａ、逆コマ送りボタン５３ｂ、逆再生ボタン５３ｃ、再生ボタン５３ｄ、コマ送りボタン５３ｅ、終端出しボタン５３ｆ等の各ボタンをポインティングデバイスによる指示操作により選択自在に有する。例えば、再生コントローラ５３部分で再生ボタン５３ｄを選択すると、画像上映部４５はその指示に従い主観察モニタ５１部分に静止画像を時系列的に連続的に表示することで、擬似的な動画表示を行う。なお、再生ボタン５３ｄは、一時停止ボタン５３ｇの機能も兼用しており、押下する毎に、一時停止ボタン５３ｇと再生ボタン５３ｄとが順に機能するトグル構成とされている。
【００４５】
５４は、フレーム表示レートを低速／高速の２段階で切換えるための再生速度変更ボタンである。５５は、主観察モニタ５１部分に同時に表示する枚数（コマ数）を１枚／２枚／４枚で切換えるための表示枚数変更ボタンであり、例えばこの表示枚数変更ボタン５５により４枚表示を選択指示すると、画像上映部４５は、観察モニタ５１部分にカプセル型内視鏡３により撮像されて時系列的に連続する４コマ分の画像を図３−１に示すように２行２列の形で同時に表示させる。５６は、バー全体の長さが例えば１０時間とされたバーチャートであり、このバーチャート５６上を左右方向に移動するカーソル５７の位置によって再生中の画像の時間的な位置を表示する。
【００４６】
５８は、観察モニタ５１部分に表示中の画像をダブルクリックすることでピックアップされた画像を示し、選択画像リスト欄５９に縮小表示される。同時に、バーチャート５６の選択画像が対応する位置と選択画像の上部とが線で結ばれ、時間的な位置関係が明示される。
【００４７】
このような構成において、本実施の形態１の動画上映時の表示例を図３−１、図３−２を参照して説明する。なお、図４は図３−１、図３−２で用いる連続する４コマ分の画像例の時系列的な前後関係（新旧関係）を示す説明図である。ここで、これらの４コマの画像Ａ〜Ｄは時間的に２秒程度の間に撮像されたものであり、現実的には似通った画像となるが、ここでは個々の画像の区別を判りやすくするため、大幅に異なる画像例を連続するコマ画像として用いた場合を示している。
【００４８】
図３−１は、動画の上映方法を規定するパラメータ設定として、操作者による表示枚数変更ボタン５５の操作により４枚表示が選択指示され、かつ、再生ボタン５３ｄが押下された場合の動画の表示例を示している。すなわち、画像上映部４５は、観察モニタ５１部分にカプセル型内視鏡３により撮像されて時系列的に連続する４コマ分の画像Ａ〜Ｄを２行２列の形で同時に表示させる。この場合、再生ボタン５３ｄが押下されているので、動画の時系列的な上映方向は、時系列的に前進方向の上映となり、２行２列の４コマの画像は前進方向を示す第１の回転方向が時計方向となるように画像が順次更新されつつ動画表示されることとなる。したがって、図示例では、左下部分に最新の画像Ｄが位置しているが、次の更新表示のタイミングでは、左上部分に画像Ａに代えて画像Ｂが表示され、右上部分に画像Ｂに代えて画像Ｃが表示され、右下部分に画像Ｃに代えて画像Ｄが表示され、左下部分に画像Ｄに代えて最新の画像が新たに表示される、如く画像が順次更新されることで、動画上映が行われる。
【００４９】
ここで、表示制御部４６は、動画の時系列的な上映方向を規定するパラメータに関して、再生ボタン５３ｄが押下されたことにより、上映方向のパラメータ設定が前進方向であることから、この上映方向が前進方向であることを所定の記号表示により動画と同時に観察モニタ５１上で表示する。具体的には、動画として表示中の画像Ａ〜Ｄの近傍中央に配置させた第１の回転方向（時計方向）に回る図柄の矢印６１を、表示記号フォーマット部中から読み出して前進方向を意味する第１の記号として表示する。供覧者は、この時計方向に回る図柄の矢印６１を見ることにより、動画の上映方向が前進方向であり、順次表示される画像が進んでいることを容易に理解できる。
【００５０】
図３−２は、動画の上映方法を規定するパラメータ設定として、操作者による表示枚数変更ボタン５５の操作により４枚表示が選択指示され、かつ、逆再生ボタン５３ｃが押下された場合の動画の表示例を示している。すなわち、画像上映部４５は、観察モニタ５１部分にカプセル型内視鏡３により撮像されて時系列的に連続する４コマ分の画像Ａ〜Ｄを２行２列の形で同時に表示させる。この場合、逆再生ボタン５３ｃが押下されているので、動画の時系列的な上映方向は、時系列的に後退方向の上映となり、２行２列の４コマの画像は後退方向を示す第２の回転方向が反時計方向となるように画像が順次更新されつつ動画表示されることとなる。したがって、図示例では、左上部分に最新の画像Ｄが位置しているが、次の更新表示のタイミングでは、左上部分に画像Ｄに代えて画像Ｃが表示され、右上部分に画像Ｃに代えて画像Ｂが表示され、右下部分に画像Ｂに代えて画像Ａが表示され、左下部分に画像Ａに代えてさらに古い画像が新たに表示される、如く画像が順次更新されることで、動画上映が行われる。
【００５１】
ここで、表示制御部４６は、動画の時系列的な上映方向を規定するパラメータに関して、逆再生ボタン５３ｃが押下されたことにより、上映方向のパラメータ設定が後退方向であることから、この上映方向が後退方向であることを所定の記号表示により動画と同時に表示部４２上で表示する。具体的には、動画として表示中の画像Ｄ〜Ａの近傍中央に配置させた第２の回転方向（反時計方向）に回る図柄の矢印６２を、表示記号フォーマット部中から読み出して後退方向を意味する第２の記号として表示する。供覧者は、この反時計方向に回る図柄の矢印６２を見ることにより、動画の上映方向が後退方向であり、順次表示される画像が後退していることを容易に理解できる。
【００５２】
（変形例１）
図５−１、図５−２を参照して変形例１を説明する。図５−１は、変形例１の動画上映時の表示例として上映方向が前進方向の場合を示す正面図であり、図５−２は、変形例１の動画上映時の表示例として上映方向が後退方向の場合を示す正面図である。
【００５３】
実施の形態１では、前進方向を意味する第１の記号として時計方向に回る図柄の矢印６１を表示させるようにしたが、変形例１では、前進方向を意味する第１の記号として遠近法表示に従い表示部４２の画面表面側から画面奥側に向かう図柄の矢印６３を表示させるようにしたものである。同様に、実施の形態１では、後退方向を意味する第２の記号として反時計方向に回る図柄の矢印６２を表示させるようにしたが、変形例１では、後退方向を意味する第２の記号として遠近法表示に従い表示部４２の画面奥側から画面表面側に向かう図柄の矢印６４を表示させるようにしたものである。
【００５４】
図５−１、図５−２はいずれも２行２列の４コマ表示時への適用例として説明したが、変形例１の矢印６３又は６４による上映方向の表示は、１コマ表示や２コマ表示の場合に、より効果的となる。
【００５５】
また、これらの矢印６３，６４の表示に代えて、電磁気分野などで用いられている記号であって、表裏方向を表す図６−１、図６−２に示すような矢印６５，６６の表示を用いるようにしてもよい。
【００５６】
（変形例２）
図７−１、図７−２を参照して変形例２を説明する。図７−１は、変形例２の動画上映時の表示例として上映方向が前進方向の場合を示す正面図であり、図７−２は、変形例２の動画上映時の表示例として上映方向が後退方向の場合を示す正面図である。
【００５７】
実施の形態１では、前進方向を意味する第１の記号として時計方向に回る図柄の矢印６１を表示させるようにしたが、変形例２では、パラメータ設定操作用のアイコン表示の再生コントローラ５３部分中で前進方向に関連する再生ボタン５３ｄ、コマ送りボタン５３ｅ、終端出しボタン５３ｆ部分を点灯表示、或いは赤色表示等による強調表示部分６７とすることで前進方向を意味する第１の記号としたものである。同様に、実施の形態１では、後退方向を意味する第２の記号として反時計方向に回る図柄の矢印６２を表示させるようにしたが、変形例２では、パラメータ設定操作用のアイコン表示の再生コントローラ５３部分中で後退方向に関連する先頭出しボタン５３ａ、逆コマ送りボタン５３ｂ、逆再生ボタン５３ｃ部分を店頭表示、或いは赤色表示等による強調表示部分６８とすることで後退方向を意味する第２の記号としたものである。
【００５８】
これらの強調表示部分６７，６８は、再生ボタン５３ｄ部分や逆再生ボタン５３ｃ部分のみの強調表示であってもよい。また、ボタン５３ｄ〜５３ｆ間やボタン５３ｃ〜５３ａ間を順次点滅しながら移動するような動的な強調表示であってもよい。
【００５９】
（変形例３）
図８−１、図８−２を参照して変形例３を説明する。図８−１は、変形例３の動画上映時の表示例として上映方向が前進方向の場合を示す正面図であり、図８−２は、変形例３の動画上映時の表示例として上映方向が後退方向の場合を示す正面図である。
【００６０】
実施の形態１や変形例１，２では、所定の記号として方向性を持つ記号を用いて前進方向や後退方向を表示させるようにしたが、変形例３では、各画像Ａ〜Ｄの時系列的な順序を示す数字、例えば、“１”〜“４”を、上映方向を表示する記号として用いるようにしたものである。
【００６１】
前進方向の画面例を示す図８−１では、主観察モニタ５１中の隅部、例えば右下隅部に、時計回りに“１”〜“４”の番号を付した２行２列の表形式の上映方向表記部６９が表示され、後退方向の画面例を示す図８−２では、主観察モニタ５１中の隅部、例えば右下隅部に、反時計回りに“１”〜“４”の番号を付した２行２列の表形式の上映方向表記部７０が表示されている例を示している。これらの上映方向表記部６９，７０は、２行２列の４コマ画像の表示例に対応しているので、上映方向が判りやすいものとなる。
【００６２】
なお、数字を用いた上映方向表記としては、表形式一覧表記に限らず、例えば、図９−１や図９−２のように、各画像Ａ〜Ｄの一隅近傍に数字“１”〜“４”を上映方向表記部７１，７２として個別に表示させるようにしてもよい。この場合の上映方向表記部７１，７２の位置は各画像Ａ〜Ｄの左上一隅に限らず、例えば、左下一隅等であってもよい。さらには、図１０に示すように、４コマの画像が互いに接近する中央周りの一隅に集中させて上映方向表記部７１を設定するようにしてもよい。また、この場合の数字“１”〜“４”の表記は、丸付き数字、ローマ数字等であってもよい。
【００６３】
（変形例４）
図１１−１、図１１−２を参照して変形例４を説明する。図１１−１は、変形例４の動画上映時の表示例として上映方向が前進方向の場合を示す正面図であり、図１１−２は、変形例４の動画上映時の表示例として上映方向が後退方向の場合を示す正面図である。
【００６４】
各画像Ａ〜Ｄの時系列的な順序を示す数字として、変形例３では、例えば、“１”〜“４”のような単純な数字を用いたが、変形例４では、各画像がそれぞれの撮像時のデータとして保有している撮像された時刻を示す数字、例えば○○：△△：××といった時分秒を示す数字を、所定の記号として用いるようにしたものである。
【００６５】
ここで、各画像Ａ〜Ｄの撮影時刻の情報は、一般には、例えば主観察モニタ５１中で４コマ画像の左側の空白欄に縦一列に上から順に表示されるが、変形例４では、各画像が撮像された時刻を示す数字を、対応する画像の配置と相似に配置、すなわち、２行２列からなるコマ画像表示の配置に相似となるように２行２列の表形式にまとめて上映方向表記部７３，７４として表示させるようにしたものである。これらの上映方向表記部７３，７４は、２行２列の４コマ画像の表示例に対応しているので、時刻を表す数字を見ることにより、上映方向が判りやすいものとなる。
【００６６】
なお、各画像の撮像時刻を表す数字の全部を用いず、その一部、例えば、下２桁の秒単位の数字だけを用い、図１０に示した上映方向表記部７１の場合と同様、図１２に示すように、対応する画像の一隅（好ましくは、４コマの画像が互いに接近する中央周りの一隅に集中させて）近傍に配置させ上映方向表記部７５として表示させるようにしてもよい。
【００６７】
（変形例５）
図１３を参照して変形例５を説明する。図１３は、変形例５の動画上映時の表示例を示す正面図である。変形例５は、カーソル５７の位置によって表示中の画像の時系列的な位置を示すバーチャート５６を利用して、動画の時系列的な上映方向を供覧者が判るようにしたものである。
【００６８】
前述したように、動画として時系列的に順次表示される画像の時系列上の位置をバーチャート５６上で移動するカーソル５７によって示しており、カーソル５７が右方向に移動すれば動画が前進方向に移動しており、逆に、カーソル５７が左方向に移動すれば動画が後退方向に移動していることとなるが、バーチャート５６上のカーソル５７の動きは、例えば１０時間分といった膨大な枚数のフレーム画像を扱う中では、移動量が僅かずつであり、カーソル５７を見ただけでは左右のいずれの方向、すなわち、前進方向か後退方向かは判りにくい。
【００６９】
そこで、変形例５では、例えば図１３に示すような動画の上映状態において、所定のキー操作として、例えば一時停止ボタン５３ｇを押下する操作を行うと、表示制御部４６は、図１３中に示すように、カーソル５７を含むバーチャート５６の一部を虫眼鏡的に拡大表示する。この拡大表示により、拡大表示部分においてはカーソル５７の移動方向が可視化される。よって、供覧者は、動きが可視化されたこの拡大表示部分に注目してカーソル５７の移動方向を見ることにより、カーソル５７が右方向に移動していれば動画が前進方向に上映されており、逆に、カーソル５７が左方向に移動していれば動画が後退方向に上映されていることが簡単に判る。
【００７０】
（変形例６）
図１４−１、図１４−２を参照して変形例６を説明する。図１４−１は、変形例６の動画上映時の表示例として上映方向が前進方向の場合を示す正面図であり、図１４−２は、変形例６の動画上映時の表示例として上映方向が後退方向の場合を示す正面図である。
【００７１】
変形例６では、同一画面上に２コマや４コマの複数の画像を同時に表示させて動画を時系列的に上映する場合に、記号等を用いることなく、同時に表示される複数の画像を重畳状態が動画の時系列的な上映方向を示すように部分的に重畳配置させて表示させるようにしたものである。この場合、時系列的に新しい画像が表示画面の前面側に位置するように複数の画像を部分的に重畳配置させて表示する。
【００７２】
上映方向が前進方向の場合を示す図１４−１にあっては、左上に位置する古い方の画像Ａが最も表示画面の奥側、左下に位置する新しい方の画像Ｄが最も表示画面の前面側となるように、これらの画像Ａ〜Ｄが少しずつ重畳する状態で重畳配置させて動画表示されている。このような部分的な重畳配置により動画の上映方向が前進方向であることが判る。
【００７３】
一方、上映方向が後退方向の場合を示す図１４−２にあっては、左下に位置する古い方の画像Ａが最も表示画面の奥側、左上に位置する新しい方の画像Ｄが最も表示画面の前面側となるように、これらの画像Ａ〜Ｄが少しずつ重畳する状態で重畳配置させて動画表示されている。このような部分的な重畳配置により動画の上映方向が後退方向であることが判る。
【００７４】
（実施の形態２）
図１５を参照して本発明の実施の形態２について説明する。本実施の形態２は、動画の上映状態で動画のフレーム表示レートを変更自在とし、フットスイッチ１４をこのための設定手段として利用し、フレーム表示レートの変更操作を、フットスイッチ１４の強弱操作によって行うようにしたものである。
【００７５】
従来、フレーム表示レートの変更は、セッティングボタン操作により画面上に出現するダイアログ内のプルダウンメニューで高速と低速とを切換える操作を行うことにより可能とされている（例えば、特許文献２等参照）。また、特許文献３，４等によれば、マウスやジョイスティックに搭載されているホイール操作によりフレーム表示レートを変更する方式が開示されている。しかしながら、このようなフレーム表示レートの変更操作は、上映中の動画から目を離して行わなければならない等の不具合があり、フレーム表示レートの変更が容易ではない。また、操作者が手で操作する方式であり、操作者が他のポインティングコマンドに集中している場合には掛け持ちの集中力を要し、フレーム表示レートの変更が容易ではない。
【００７６】
この点、本実施の形態２は、フットスイッチ１４の強弱操作によりフレーム表示レートの変更を可能とすることにより、上映中の動画を見ながら行うことができるとともに、操作者が足で操作するので、両手を他の操作に使用することも可能となり、フレーム表示レートの変更が容易となる。
【００７７】
図１５は、本実施の形態２の表示制御部４６により実行される動画上映中の表示制御例を示す概略フローチャートである。まず、再生ボタン５３ｄが押下されたか否か、或いは、逆再生ボタン５３ｃが押下されたか否かを判断する（ステップＳ１，Ｓ２）。いずれかのボタン５３ｄ又は５３ｃが押下された場合には（ステップＳ１：Ｙｅｓ又はステップＳ２：Ｙｅｓ）、その時点で設定されているフレーム表示レートを読出す（ステップＳ３）。特に設定されていなければ、デフォルト値が読出される。次いで、読出したフレーム表示レートに従い、フォルダＦ１中のフレーム画像をそのフレーム番号順（再生ボタン５３ｄ押下の場合）、或いは、逆順（逆再生ボタン５３ｃ押下の場合）に読出し、表示部４２の主観察モニタ５１上に更新表示させる（ステップＳ４）。
【００７８】
このような表示状態で、一時停止ボタン５３ｇが押下されたか否かを監視し（ステップＳ５）、押下された場合には（ステップＳ５：Ｙｅｓ）、その指示に従い、一時停止し（ステップＳ６）、ステップＳ１に戻る。押下されていない場合には（ステップＳ５：Ｎｏ）、対象となる全フレーム画像の表示が終了したか否かを判断する（ステップＳ７）。全フレーム画像の表示が終了していれば（ステップＳ７：Ｙｅｓ）、動画上映処理を終了する。
【００７９】
全フレーム画像の表示が終了していなければ（ステップＳ７：Ｎｏ）、フットスイッチ１４の操作があったか否かを判定する（ステップＳ８）。フットスイッチ１４の操作があった場合には（ステップＳ８：Ｙｅｓ）、その強弱操作に応じてフレーム表示レートを変更設定する（ステップＳ９）。すなわち、自動車のアクセルペダルの場合のように、フットスイッチ１４を強く踏むほどフレーム表示レートが速くなるように設定され、フットスイッチ１４を弱く踏むほどフレーム表示レートが遅くなるように設定される。
【００８０】
その後、その時点で設定されているフレーム表示レートに従う画像更新タイミングに達したか否かを判定し（ステップＳ１０）、達していなければ（ステップＳ１０：Ｎｏ）、達するまで待機するが、達した場合には（ステップＳ１０：Ｙｅｓ）、ステップＳ４に戻り、その時点で設定されているフレーム表示レートに従い、フォルダＦ１中のフレーム画像をそのフレーム番号順（再生ボタン５３ｄ押下の場合）、或いは、逆順（逆再生ボタン５３ｃ押下の場合）に読出し、表示部４２の主観察モニタ５１上に更新表示させる（ステップＳ４）ことで、動画として上映させる。
【００８１】
（変形例７）
図１６を参照して変形例７について説明する。変形例７は、動画の上映状態で動画のフレーム表示レートを変更自在とし、再生ボタン５３ｄをこのための設定手段として利用し、フレーム表示レートの変更操作を、再生ボタン５３ｄのクリック回数（繰り返し操作回数）によって行うようにしたものである。
【００８２】
図１６は、変形例７の表示制御部４６により実行される動画上映中の表示制御例を示す概略フローチャートである。図１５中に示すステップＳ８，Ｓ９に代えて、変形例７ではステップＳ１１，Ｓ１２が実行される。全フレーム画像の表示が終了していなければ（ステップＳ７：Ｎｏ）、再生ボタン５３ｄをクリックする操作があったか否かを判定する（ステップＳ１１）。再生ボタン５３ｄをクリックする操作があった場合には（ステップＳ１１：Ｙｅｓ）、そのクリック回数に応じてフレーム表示レートを変更設定する（ステップＳ１２）。すなわち、クリック回数が多いほどフレーム表示レートが速くなるように設定される。後の処理制御は、図１５の場合と同様である。
【００８３】
変形例７によれば、動画の上映中において、再生ボタン５３ｄをクリックした回数に応じてフレーム表示レートの変更設定が可能であるので、人間工学的な操作によってフレーム表示レートの変更を容易に行うことができる。
【００８４】
（変形例８）
図１７を参照して変形例８について説明する。変形例８は、表示部４２の一部に表示レート設定用のスライドバーを表示させておくとともに、動画の上映状態で動画のフレーム表示レートを変更自在とし、表示レート設定用のスライドバー上をマウス１３操作によって移動自在なカーソルをこのための設定手段として利用し、フレーム表示レートの変更操作をカーソルの移動操作に応じて行うようにしたものである。
【００８５】
図１７は、変形例８の表示制御部４６により実行される動画上映中の表示制御例を示す概略フローチャートである。図１５中に示すステップＳ８，Ｓ９に代えて、変形例８ではステップＳ１３，Ｓ１４が実行される。全フレーム画像の表示が終了していなければ（ステップＳ７：Ｎｏ）、表示レート設定用のスライドバー上でカーソルの移動操作があったか否かを判定する（ステップＳ１３）。表示レート設定用のスライドバー上でカーソルの移動操作があった場合には（ステップＳ１３：Ｙｅｓ）、その移動方向に応じてフレーム表示レートを変更設定する（ステップＳ１４）。すなわち、カーソルを右側に移動させるほどフレーム表示レートが速くなるように設定され、カーソルを左側に移動させるほどフレーム表示レートが遅くなるように設定される。後の処理制御は、図１５の場合と同様である。
【００８６】
変形例８によれば、フレーム表示レートの変更を容易に行うことができる上に、表示レート設定用のスライドバーは表示部４２上に表示されており、画面上で視認できるので、供覧者にとっても、表示レート設定用のスライドバー上のカーソル位置を確認することで、フレーム表示レートの変更の余地がまだ残っているか否かを知ることができ、操作者にフレーム表示レートの変更を適宜要求することができる。
【００８７】
（変形例９）
図１８を参照して変形例９について説明する。変形例９は、変形例８における表示レート設定用のスライドバー上のカーソル移動を、キーボード１１上の特定キー操作と同時のホイール１２の操作に応じて行うようにしたものである。
【００８８】
図１８は、変形例９の表示制御部４６により実行される動画上映中の表示制御例を示す概略フローチャートである。図１７中に示すステップＳ１３に代えて、変形例９ではステップＳ１５，Ｓ１６が実行される。全フレーム画像の表示が終了していなければ（ステップＳ７：Ｎｏ）、キーボード１１上の特定キー操作と同時に、マウス１３のホイール１２の操作があったか否かを判定する（ステップＳ１５）。ホイール１２の操作があった場合には（ステップＳ１５：Ｙｅｓ）、その操作量に応じて表示レート設定用のスライドバー上でカーソルを移動させる（ステップＳ１６）。そして、このカーソルの移動方向に応じてフレーム表示レートを変更設定する（ステップＳ１４）。すなわち、カーソルを右側に移動させるほどフレーム表示レートが速くなるように設定され、カーソルを左側に移動させるほどフレーム表示レートが遅くなるように設定される。後の処理制御は、図１５、図１７の場合と同様である。
【００８９】
変形例９によれば、動画の上映中において、マウス１２のホイール１２の操作に応じてフレーム表示レートの変更設定が可能であるので、人間工学的な操作によってフレーム表示レートの変更を容易に行うことができる。
【００９０】
（変形例１０）
図１９を参照して変形例１０について説明する。変形例１０は、動画の上映状態で動画のフレーム表示レートを変更自在とし、キーボード１１上の矢印キーである“↑”“↓”“→”“←”キーをこのための設定手段として利用し、フレーム表示レートの変更操作をキーボード１１上の矢印キー操作により行うようにしたものである。ここで、各矢印キーには、それぞれフレーム表示レート変更に関して、例えば、“↑”キーの場合には「ゆっくり」、“↓”キーの場合には「速く」、“→”キーの場合には「次コマに進む」、“←”キーの場合には「前コマに戻る」といった役割が設定されている。
【００９１】
図１９は、変形例１０の表示制御部４６により実行される動画上映中の表示制御例を示す概略フローチャートである。図１５中に示すステップＳ８，Ｓ９に代えて、変形例１０ではステップＳ１７，Ｓ１８が実行される。全フレーム画像の表示が終了していなければ（ステップＳ７：Ｎｏ）、キーボード１１上で矢印キーの操作があったか否かを判定する（ステップＳ１７）。矢印キーの操作があった場合には（ステップＳ１７：Ｙｅｓ）、操作された矢印キーに応じて上述の役割に従いフレーム表示レートを変更設定する（ステップＳ１８）。後の処理制御は、図１５の場合と同様である。
【００９２】
変形例１０によれば、表示部４２の画面を離れて、キーボード１１上での手元操作でフレーム表示レートの変更が可能であるので、画面上でフレーム表示レート変更のためにカーソル位置に注視するといったことが不要となり、フレーム表示レートの変更を容易に行うことができる。
【００９３】
（実施の形態３）
図２０及び図２１を参照して本発明の実施の形態３について説明する。本実施の形態３は、汎用端末であるワークステーションの一部の操作部材であるキーボード１１の数個のキーを、動画の上映方法を操作する操作手段として利用するようにしたものである。
【００９４】
図２０は、表示部４２上に表示される各種設定操作用のアイコンとキーボード１１上のキーに割り当てられた対応関係を示す模式図である。本実施の形態３では、一時停止ボタン５３ｇによる機能が“Space”キー２１に割り当てられている他、先頭出しボタン５３ａ、逆コマ送りボタン５３ｂ、逆再生ボタン５３ｃ、再生ボタン５３ｄ、コマ送りボタン５３ｅ、終端出しボタン５３ｆの各機能がそれぞれ“Home”キー２２、“Page down”キー２３、“Delete”キー２４、“Insert”キー２５、“Page up”キー２６、“End”キー２７に割り当てられている。
【００９５】
図２１は、本実施の形態３の表示制御部４６により実行される動画上映中の表示制御例を示す概略フローチャートである。まず、キーボード１１上の“Insert”キー２５が押下されたか否か、或いは、“Delete”キー２４が押下されたか否かを判断する（ステップＳ２１，Ｓ２２）。ここで、“Insert”キー２５の押下は再生ボタン押下に相当し、“Delete”キー２４の押下は逆再生ボタン押下に相当する。いずれかのキー２４又は２５が押下された場合には（ステップＳ２１：Ｙｅｓ又はステップＳ２２：Ｙｅｓ）、その時点で設定されているフレーム表示レートを読出す（ステップＳ２３）。特に設定されていなければ、デフォルト値が読出される。次いで、読出したフレーム表示レートに従い、フォルダＦ１中のフレーム画像をそのフレーム番号順（“Insert”キー２５押下の場合）、或いは、逆順（“Delete”キー２４押下の場合）に読出し、表示部４２の主観察モニタ５１上に更新表示させる（ステップＳ２４）。
【００９６】
このような表示状態で、キーボード１１上のキーが押下されたか否かを監視し（ステップＳ２５）、押下されていない場合には（ステップＳ２５：Ｎｏ）、対象となる全フレーム画像の表示が終了したか否かを判断する（ステップＳ２６）。全フレーム画像の表示が終了していれば（ステップＳ２６：Ｙｅｓ）、動画上映処理を終了する。
【００９７】
全フレーム画像の表示が終了していなければ（ステップＳ２６：Ｎｏ）、フレーム表示レートに従う画像更新タイミングに達したか否かを判定し（ステップＳ２７）、達していなければ（ステップＳ２７：Ｎｏ）、達するまで待機するが、達した場合には（ステップＳ２７：Ｙｅｓ）、ステップＳ２４に戻り、設定されているフレーム表示レートに従い、フォルダＦ１中のフレーム画像をそのフレーム番号順（“Insert”キー２５押下の場合）、或いは、逆順（“Delete”キー２４押下の場合）に読出し、表示部４２の主観察モニタ５１上に更新表示させる（ステップＳ２４）ことで、動画として上映させる。
【００９８】
一方、キーボード１１上のキーが押下された場合（ステップＳ２５：Ｙｅｓ）、そのキーが一時停止ボタン５３ｇに相当する“Space”キー２１であった場合には（ステップＳ２８：Ｙｅｓ）、そのキー指示に従い、一時停止し（ステップＳ２９）、ステップＳ２１に戻る。また、押下されたキーがコマ送りボタン５３ｅに相当する“Page up”キー２６であった場合には（ステップＳ３０：Ｙｅｓ）、そのキー指示に従い、上映中の動画をコマ送り表示させ（ステップＳ３１）、ステップＳ２１に戻る。さらに、押下されたキーが逆コマ送りボタン５３ｂに相当する“Page down”キー２３であった場合には（ステップＳ３２：Ｙｅｓ）、そのキー指示に従い、上映中の動画を逆コマ送り表示させ（ステップＳ３３）、ステップＳ２１に戻る。
【００９９】
さらに、押下されたキーが終端出しボタン５３ｆに相当する“End”キー２７であった場合には（ステップＳ３４：Ｙｅｓ）、そのキー指示に従い、上映中の動画を終端出し位置に移動させ（ステップＳ３５）、ステップＳ２１に戻る。一方に、押下されたキーが先頭出しボタン５３ａに相当する“Home”キー２２であった場合には（ステップＳ３４：Ｎｏ）、そのキー指示に従い、上映中の動画を先頭出し位置に移動させ（ステップＳ３６）、ステップＳ２１に戻る。
【０１００】
一般に、ワークステーションのような汎用端末を被検体情報取得システムに流用した場合、各種操作は画面上表示のアイコン等に矢印カーソルを合わせながらマウス１３操作で行うことが多く、その操作部材であるキーボード１１は殆ど活用されない状況にある。この点、本実施の形態３によれば、遊んでいるキーボード１１の数個のキーに動画の上映方法を操作する機能を割り当てているので、有効に活用することができる。特に、画面上のアイコン操作の場合には注視力を要し、上映中の動画から目を離してしまうが、物体の位置で決まるキーボード１１上のキー操作によれば、熟練者であれば動画から目を離すことなくブラインドタッチでの上映方法に関する操作が可能となる。
【０１０１】
なお、不慣れな操作者を考慮した場合には、“Space”キー２１、“Home”キー２２、“Page down”キー２３、“Delete”キー２４、“Insert”キー２５、“Page up”キー２６、“End”キー２７の各キーのキートップに割り当てられた対応する機能を表記したシールを貼ればよい。これにより、当該キーボード１１を観察作業用キーボードとして専用化することもできる。
【０１０２】
（実施の形態４）
図２２を参照して本発明の実施の形態４について説明する。本実施の形態４は、フットスイッチ１４を、動画の上映方法に関するうち、その上映を一時停止させるための操作手段として利用するようにしたものである。
【０１０３】
図２２は、本実施の形態４の表示制御部４６により実行される動画上映中の表示制御例を示す概略フローチャートである。例えば、図１９中に示したステップＳ５に代えて、本実施の形態４ではステップＳ２０が実行される。すなわち、ステップＳ４による動画の表示状態で、フットスイッチ１４が踏まれたか否かを監視し（ステップＳ２０）、踏まれた場合には（ステップＳ２０：Ｙｅｓ）、その指示に従い、一時停止し（ステップＳ６）、ステップＳ１に戻る。踏まれていない場合には（ステップＳ２０：Ｎｏ）、図１９で示した以降の処理が実行される。
【０１０４】
なお、このステップＳ２０の処理は、図２１中に示したステップＳ２８の処理に代えて用いるようにしてもよい。
【０１０５】
本実施の形態４によれば、上映中の動画の一時停止の操作をフットスイッチ１４によって行うことができるので、上映中の動画から目を離すことなく、関心度の高い動画部分で適正に一時停止させて詳細に観察することができる。
【０１０６】
本発明は、上述した実施の形態に限らず、本発明の趣旨を逸脱しない範囲であれば、種々の変形が可能である。
【図面の簡単な説明】
【０１０７】
【図１】本発明の実施の形態１の無線型の被検体内情報取得システムの全体構成を示す模式図である。
【図２】画像表示装置の概略構成を示すブロック図である。
【図３−１】表示部の表示画面の一例として上映方向が前進方向の場合を示す正面図である。
【図３−２】表示部の表示画面の一例として上映方向が後退方向の場合を示す正面図である。
【図４】連続する４コマ分の画像例の時系列的な前後関係（新旧関係）を示す説明図である。
【図５−１】変形例１の表示部の表示画面の一例として上映方向が前進方向の場合を示す正面図である。
【図５−２】変形例１の表示部の表示画面の一例として上映方向が後退方向の場合を示す正面図である。
【図６−１】変形例１の表示部の表示画面の別例として上映方向が前進方向の場合を示す正面図である。
【図６−２】変形例１の表示部の表示画面の別例として上映方向が後退方向の場合を示す正面図である。
【図７−１】変形例２の表示部の表示画面の一例として上映方向が前進方向の場合を示す正面図である。
【図７−２】変形例２の表示部の表示画面の一例として上映方向が後退方向の場合を示す正面図である。
【図８−１】変形例３の表示部の表示画面の一例として上映方向が前進方向の場合を示す正面図である。
【図８−２】変形例３の表示部の表示画面の一例として上映方向が後退方向の場合を示す正面図である。
【図９−１】変形例３の表示部の表示画面の別例として上映方向が前進方向の場合を示す正面図である。
【図９−２】変形例３の表示部の表示画面の別例として上映方向が後退方向の場合を示す正面図である。
【図１０】変形例３の表示部の表示画面のさらに別例として上映方向が前進方向の場合を示す正面図である。
【図１１−１】変形例４の表示部の表示画面の一例として上映方向が前進方向の場合を示す正面図である。
【図１１−２】変形例４の表示部の表示画面の一例として上映方向が後退方向の場合を示す正面図である。
【図１２】変形例４の表示部の表示画面の別例として上映方向が前進方向の場合を示す正面図である。
【図１３】変形例５の表示部の表示画面の一例として上映方向が前進方向の場合を示す正面図である。
【図１４−１】変形例６の表示部の表示画面の一例として上映方向が前進方向の場合を示す正面図である。
【図１４−２】変形例６の表示部の表示画面の一例として上映方向が後退方向の場合を示す正面図である。
【図１５】本発明の実施の形態２の動画上映中の表示制御例を示す概略フローチャートである。
【図１６】変形例７の動画上映中の表示制御例を示す概略フローチャートである。
【図１７】変形例８の動画上映中の表示制御例を示す概略フローチャートである。
【図１８】変形例９の動画上映中の表示制御例を示す概略フローチャートである。
【図１９】変形例１０の動画上映中の表示制御例を示す概略フローチャートである。
【図２０】本発明の実施の形態３の表示部上に表示される各種設定操作用のアイコンとキーボード上のキーに割り当てられた対応関係を示す模式図である。
【図２１】本発明の実施の形態３の動画上映中の表示制御例を示す概略フローチャートである。
【図２２】本発明の実施の形態４の動画上映中の表示制御例を示す概略フローチャートである。
【符号の説明】
【０１０８】
３  カプセル型内視鏡
１１  キーボード
１２  ホイール
１３  マウス
１４  フットスイッチ
４２  表示部
５６  バーチャート
５７  カーソル
６１〜６６  矢印
６７，６８  強調表示部分
６９〜７５  上映方向表記部
【図１】
2006296882.tif 000003
【図２】
2006296882.tif 000004
【図３−１】
2006296882.tif 000005
【図３−２】
2006296882.tif 000006
【図４】
2006296882.tif 000007
【図５−１】
2006296882.tif 000008
【図５−２】
2006296882.tif 000009
【図６−１】
2006296882.tif 000010
【図６−２】
2006296882.tif 000011
【図７−１】
2006296882.tif 000012
【図７−２】
2006296882.tif 000013
【図８−１】
2006296882.tif 000014
【図８−２】
2006296882.tif 000015
【図９−１】
2006296882.tif 000016
【図９−２】
2006296882.tif 000017
【図１０】
2006296882.tif 000018
【図１１−１】
2006296882.tif 000019
【図１１−２】
2006296882.tif 000020
【図１２】
2006296882.tif 000021
【図１３】
2006296882.tif 000022
【図１４−１】
2006296882.tif 000023
【図１４−２】
2006296882.tif 000024
【図１５】
2006296882.tif 000025
【図１６】
2006296882.tif 000026
【図１７】
2006296882.tif 000027
【図１８】
2006296882.tif 000028
【図１９】
2006296882.tif 000029
【図２０】
2006296882.tif 000030
【図２１】
2006296882.tif 000031
【図２２】
2006296882.tif 000032